(57)【要約】    【課題】  原稿自体を直接編集することなく、表示画像に対する書込及び消去が容易な投射表示装置及び投射表示方法を提供する。    【解決手段】  撮像装置付投射表示装置１において、下部ユニット３の筐体１０の上部にフレーム４を嵌合させ、フレーム４の開口部４ａに書込用ディスプレイ５を嵌め込む。書込用ディスプレイ５は、透過モード及び散乱モードとなる液晶パネル２７上に入力タブレット２８を重ねて形成する。また、書込用ディスプレイ５に対向する位置に、原稿を撮像する撮像装置７及び書込用ディスプレイ５に対して画像を投射する小型投射装置２６を設ける。【選択図】  図１
2005215214.tif 000002
【特許請求の範囲】
【請求項１】
画像を外部に投射して表示する投射表示装置において、画像を表示すると共に前記画像に対する書込情報が入力される書込用ディスプレイと、前記書込用ディスプレイにより入力された書込情報が入力され、前記画像及び前記書込情報を外部に投射する外部投射装置と、を有することを特徴とする投射表示装置。
【請求項２】
前記画像及び前記書込情報を前記書込用ディスプレイに対して投射して表示させる内部投射装置を有することを特徴とする請求項１に記載の投射表示装置。
【請求項３】
前記内部投射装置は前記画像を投射する前に原稿を撮像して前記画像を得るものであり、前記書込用ディスプレイは前記原稿の撮像時に前記原稿を支持するものであることを特徴とする請求項２に記載の投射表示装置。
【請求項４】
前記書込用ディスプレイが、入射された光をそのまま透過させる透過モード及び入射された光を散乱させる散乱モードの２つのモードになる液晶パネルと、前記液晶パネル上に重ねられ前記書込情報が入力される入力タブレットと、を有することを特徴とする請求項３に記載の投射表示装置。
【請求項５】
前記書込用ディスプレイが、前記内部投射装置に対して固定された透明板と、この透明板を露出させるか覆うかを切り替えられる撮像面カバーと、を有し、前記撮像面カバーは、前記内部投射装置が投射した前記画像及び前記書込情報を表示するスクリーンと、このスクリーン上に重ねられ前記書込情報が入力される入力タブレットと、を有することを特徴とする請求項３に記載の投射表示装置。
【請求項６】
前記内部投射装置が、前記原稿を撮像する撮像装置と、前記書込用ディスプレイに対向する位置に設けられたレンズ並びにこのレンズを介して前記画像及び前記書込情報が付加された光を投射する投射素子からなる投射装置と、を有することを特徴とする請求項３乃至５のいずれか１項に記載の投射表示装置。
【請求項７】
前記内部投射装置が、前記書込用ディスプレイに対向する位置に設けられたレンズと、このレンズを介して前記原稿を撮像する撮像素子と、前記画像及び前記書込情報が付加された光を出射する投射素子と、前記レンズを介して入射された光を前記撮像素子に向けて出射すると共に前記投射素子から出射した光を前記レンズに向けて出射するビームスプリッタと、を有することを特徴とする請求項３乃至５のいずれか１項に記載の投射表示装置。
【請求項８】
前記投射素子が、透過型ライトバルブと、前記透過型ライトバルブに対して光を出射する光源と、を有することを特徴とする請求項６又は７に記載の投射表示装置。
【請求項９】
前記投射素子が、反射型ライトバルブと、光を出射する光源と、前記光源から出射された光を前記反射型ライトバルブに導くと共に前記反射型ライトバルブにより反射された光を前記書込用ディスプレイに投射されるように導くビームスプリッタと、を有することを特徴とする請求項６又は７に記載の投射表示装置。
【請求項１０】
前記投射素子が、画像を形成するデジタル・マイクロミラー・デバイスと、前記デジタル・マイクロミラー・デバイスに向けて光を出射する光源と、を有することを特徴とする請求項６又は７に記載の投射表示装置。
【請求項１１】
前記光源は、前記原稿の撮像時に前記原稿を照明するものであることを特徴とする請求項８乃至１０のいずれか１項に記載の投射表示装置。
【請求項１２】
前記外部投射装置が、ランプユニットと、このランプユニットから出射した光に前記画像及び前記書込情報を付加する光学系ユニットと、前記画像及び前記書込情報が付加された光を外部に投射する投射レンズユニットと、を有し、前記内部投射装置が、前記原稿を撮像する撮像装置と、前記光学系ユニットと前記投射レンズユニットとの間の光路に介在し前記画像及び前記書込情報が付加された光の一部を前記投射レンズユニットに向けて出射すると共に残部を他の方向に向けて出射するビームスプリッタと、を有し、前記他の方向に向けて出射された光が前記書込用ディスプレイに投射されるようになっていることを特徴とする請求項３乃至５のいずれか１項に記載の投射表示装置。
【請求項１３】
画像を投射して表示する投射表示方法において、原稿を撮像して前記画像を得る撮像工程と、前記画像を書込用ディスプレイに対して投射しながら前記書込用ディスプレイに前記書込情報を入力する書込情報入力工程と、前記画像及び前記書込情報を前記投射表示装置の外部に投射する外部投射工程と、を有することを特徴とする投射表示方法。
【請求項１４】
前記書込用ディスプレイが、入射された光をそのまま透過させる透過モード及び入射された光を散乱させる散乱モードの２つのモードになる液晶パネルと、前記液晶パネル上に重ねられ前記書込情報が入力される入力タブレットと、を備えたものであり、前記撮像工程は、前記書込用ディスプレイが前記原稿を支持し、前記液晶パネルが前記透過モードになりこの液晶パネルを介して前記原稿を撮像する工程であり、前記書込情報入力工程は、前記液晶パネルが前記散乱モードになり、この液晶パネルに前記画像が投射され、前記入力タブレットに前記書込情報が入力される工程であることを特徴とする請求項１３に記載の投射表示方法。
【請求項１５】
前記書込用ディスプレイが、透明板と、この透明板を露出させるか覆うかを切り替えられる撮像面カバーと、を備え、前記撮像面カバーが、前記画像及び前記書込情報が投射されるスクリーンと、このスクリーン上に重ねられ前記書込情報が入力される入力タブレットと、を備えたものであり、前記撮像工程は、前記透明板が露出されてこの透明板が前記原稿を支持しこの透明板を介して前記原稿を撮像する工程であり、前記書込情報入力工程は、前記撮像面カバーが前記透明板を覆い前記スクリーンに前記画像が投射され前記入力タブレットに前記書込情報が入力される工程であることを特徴とする請求項１３に記載の投射表示方法。
【発明の詳細な説明】
【技術分野】
【０００１】
本発明は、画像を外部のスクリーン等に投射して表示する投射表示装置及び投射表示方法に関する。
【背景技術】
【０００２】
従来より、ＯＨＰ（Overhead Projector）に替わる投射表示装置として、原稿を撮像して電子データとし、この電子データに基づいて画像を透過型の液晶ライトバルブに表示させ、この液晶ライトバルブに光を透過させることにより前記画像をスクリーンに投影する撮像装置付投射表示装置が開発されている（例えば、特許文献１及び非特許文献１参照。）。
【０００３】
図２７は特許文献１及び非特許文献１に記載されている従来の撮像装置付投射表示装置を示す斜視図であり、図２８はこの撮像装置付投射表示装置の下部ユニットを示す斜視図であり、図２９はこの撮像装置付投射表示装置の動作を示す図であり、図３０はこの撮像装置付投射表示装置における画像情報の流れを示すブロック図である。図２７に示すように、従来の撮像装置付投射表示装置１０１は、上部ユニット１０２及び下部ユニット１０３から構成されており、下部ユニット１０３上に上部ユニット１０２が搭載されている。
【０００４】
上部ユニット１０２においては、下部ユニット１０３の上部に嵌合するフレーム４が設けられている。フレーム４には矩形の開口部４ａが形成されており、開口部４ａにはその上面に原稿が載置されるガラス板１０５が嵌め込まれている。更に、フレーム４の４つの辺部からは夫々台形状の反射防止板からなる側板６ａが下方に向かって傾斜して延びており、側板６ａの下端には反射防止板からなる底板６ｂが設けられている。底板６ｂには撮像装置７が取り付けられている。即ち、底板６ｂの開口部に撮像装置７のレンズ７ａ（図２９参照）が嵌め込まれており、レンズ７ａの下方にはレンズ７ａを介してガラス板１０５に載置された原稿を撮像してその画像情報を電子化する撮像素子７ｂ（図２９参照）が設けられている。これにより、ガラス板１０５、４枚の側板６ａ及び底板６ｂにより逆四角錐台形状の空間が区画されており、ガラス板１０５がこの逆四角錐台形の上面を構成し、側板６ａが側面を構成し、底板６ｂが下面を構成している。そして、側板６ａの裏側、即ち、前記空間の外側のうち相互に対向する２ヶ所の位置には各１本の冷陰極管８が設けられている。冷陰極管８から出射した光は反射板（図示せず）により反射され、間接的に原稿を照明するようになっている。更にまた、フレーム４には撮像装置付投射表示装置１０１の動作を制御する操作パネル（図示せず）が設けられている。
【０００５】
また、フレーム４には撮像面カバー９が取り付けられている。撮像面カバー９はその一端がフレーム４の一端に回動可能に連結されており、ガラス板１０５に対して扉状のカバーとして機能するようになっている。即ち、撮像面カバー９が開いているときは、ガラス板１０５が露出されて原稿をガラス板１０５上に載置できるようになっており、撮像面カバー９が閉じているときは、ガラス板１０５が撮像面カバー９に覆われて外光が撮像装置７に入射することを防止できるようになっている。
【０００６】
図２８に示すように、下部ユニット１０３においては、筐体１０が設けられており、この筐体１０の内部に、外部から電源が供給されてこれを変圧して装置内の他の部分に供給する電源ユニット１１が設けられており、この電源ユニット１１から電源が供給されて光を出射するランプユニット１２が設けられている。また、ランプユニット１２から出射された光に、撮像装置７（図２７参照）から出力された画像データに基づいて画像を付加する光学系ユニット１３が設けられており、光学系ユニット１３により画像が付加された光を外部のスクリーン（図示せず）に向けて投射する投射レンズユニット１４が設けられている。更に、撮像装置７及び光学系ユニット１３を駆動する駆動回路１５が設けられている。
【０００７】
光学系ユニット１３においては、ランプユニット１２から出射される光の光路に介在するにように、赤色の光を反射して他の色の光を透過させるダイクロイックミラー１６Ｒが設けられており、ダイクロイックミラー１６Ｒを透過した光の光路に介在するように、緑色の光を反射して青色の光を透過させるダイクロイックミラー１６Ｇが設けられており、ダイクロイックミラー１６Ｇを透過した光、即ち青色光の光路に介在するように、ミラー１７ａが設けられている。また、ダイクロイックミラー１６Ｒにおいて反射した赤色光が照射される位置にミラー１７ｂが設けられており、ミラー１７ａにおいて反射した青色光が照射される位置にミラー１７ｃが設けられている。そして、ミラー１７ｂにおいて反射した赤色光の光路に介在するように液晶ライトバルブ１８ａが設けられており、ダイクロイックミラー１６Ｇにおいては反射した緑色光の光路に介在するように液晶ライトバルブ１８ｂが設けられており、ミラー１７ｃにおいて反射した青色光の光路に介在するように液晶ライトバルブ１８ｃが設けられている。液晶ライトバルブ１８ａ、１８ｂ及び１８ｃは、撮像装置７から出力された画像データに基づいて夫々赤色、緑色及び青色の画像を形成するものである。更に、液晶ライトバルブ１８ａ、１８ｂ及び１８ｃを透過した各色の光が入射されこれらの光を統合して投射レンズユニット１４に対して出射するプリズム１９が設けられている。なお、ランプユニット１２、光学系ユニット１３及び投射レンズユニット１４により投射装置２０（図２９参照）が構成されている。
【０００８】
次に、このような従来の撮像装置付投射表示装置の動作について説明する。先ず、原稿を撮像する動作について説明する。図２９及び図３０に示すように、先ず、原稿２１をガラス板１０５上に載置する。このとき、原稿２１における表示したい面を下向きにし、この表示面がガラス板１０５に接するようにする。そして、原稿２１が薄い原稿であれば、撮像面カバー９を閉じ、ガラス板１０５と共に原稿２１を挟む。次に、電源ユニット１１が冷陰極管８に電力を供給し、冷陰極管８が発光することにより、原稿２１の表示面を照明する。そして、撮像装置７が原稿２１の表示面を撮像し、撮像した光学情報を電子情報に変換する。
【０００９】
次に、表示画像を投射する動作について説明する。撮像装置７から出力された電子情報に基づいて、光学系ユニット１３の液晶ライトバルブ１８ａ乃至１８ｃが画像を形成する。このとき、ランプユニット１２から出射した光が液晶ライトバルブ１８ａ乃至１８ｃを透過することによりこの光に前記画像が付加され、この画像が投射ユニット１４により外部のスクリーン２２に投射され、表示される。
【００１０】
この従来の撮像装置付投射表示装置によれば、オーバーヘッドプロジェクタ（ＯＨＰ）のように予め専用の透明フィルムを用いた原稿を作成する必要がなく、また、パソコン用のプロジェクタのように予め原稿を電子化しておく必要もなく、普通紙に手書き若しくは印刷された資料又は書籍等の種々の形態の資料を、そのまま外部のスクリーンに投射して表示することができる。また、投射した画像を電子データとして保存することができる。
【００１１】
しかしながら、この従来の撮像装置付投射表示装置には以下に示すような問題点がある。プレゼンテーションの現場では、スクリーンに表示した画像にその場で書込を行って新たな情報を付加することがしばしば必要になる。しかし、上述の従来の撮像装置付投射表示装置では、撮像した画像情報に書込を行うことができない。
【００１２】
このため、従来、撮像した画像情報に書込を行うために、この撮像装置付投射表示装置にパーソナルコンピュータ、入力タブレット又は電子ボート等の入力装置を接続し、この入力装置を操作することにより撮像した画像情報に書込を行っている。
【００１３】
また、上述の撮像装置付投射表示装置によりホワイトボードに画像を表示し、このホワイトボード上においてホワイトボード用マーカにより書込を行い、それを外部カメラにより撮像してこの情報を撮像装置付投射表示装置が記録する方法も開示されている（例えば、特許文献２参照。）。
【００１４】
更に、書込を行った透明シート及び指示棒を撮像装置付投射表示装置内の光路に介在するように挿入し、撮像した画像に重ね合わせて表示する技術も開示されている（例えば、特許文献３参照。）。
【００１５】
【特許文献１】特開平０７−０３６１１６号公報
【非特許文献１】日本アビオニクス株式会社ホームページ（http://www.avio.co.jp/products/mp/mp_index.htm）
【特許文献２】特開２００１−３１２００１号公報
【特許文献３】特開平０８−０５４５９２号公報
【発明の開示】
【発明が解決しようとする課題】
【００１６】
しかしながら、上述の従来の技術には以下に示すような問題点がある。パーソナルコンピュータ等の入力装置を投射表示装置に接続し、この入力装置により書込を行う方法では、ユーザ（発表者）は投射表示装置の他に入力装置も操作しなくてはならないため、書込作業が煩雑になり、プレゼンテーションに支障をきたしてしまう。また、パーソナルコンピュータ等の入力装置が必要となるため、設備コストが増大すると共に携帯性が低下する。
【００１７】
また、特許文献２に記載された技術においても、投射表示装置の他に外部カメラが必要となると共に、ユーザは書込作業の度に投射表示装置から離れてホワイトボードまで移動しなくてはならず、作業が煩雑になる。また、外部カメラが必要になるため、設備コストが増大すると共に携帯性が低下する。
【００１８】
更に、特許文献３に記載された技術においては、書込用の透明シートを事前に用意しておかなくてはならず、プレゼンテーションの現場で表示画像に対する書込等の編集作業を容易に行うことができない。また、書込情報を電子データとして残すことができないという問題点がある。
【００１９】
本発明はかかる問題点に鑑みてなされたものであって、表示画像に対する書込が容易な投射表示装置及び投射表示方法を提供することを目的とする。
【課題を解決するための手段】
【００２０】
本発明に係る投射表示装置は、画像を外部に投射して表示する投射表示装置において、画像を表示すると共に前記画像に対する書込情報が入力される書込用ディスプレイと、前記書込用ディスプレイにより入力された書込情報が入力され、前記画像及び前記書込情報を外部に投射する外部投射装置と、を有することを特徴とする。
【００２１】
本発明においては、使用者が書込用ディスプレイに表示された画像を見ながら、書込用ディスプレイに書込情報を上書きするようにして入力し、外部投射装置が撮像された画像及び書込情報を外部に投射して表示する。これにより、撮像された画像に対する書込を容易に行うことができる。なお、本発明において「書込」とは、元の画像の一部を消去する等の編集作業も含む。
【００２２】
また、本発明に係る投射表示装置は、前記画像及び前記書込情報を前記書込用ディスプレイに対して投射して表示させる内部投射装置を有することが好ましい。
【００２３】
更に、前記内部投射装置は前記画像を投射する前に原稿を撮像して前記画像を得るものであり、前記書込用ディスプレイは前記原稿の撮像時に前記原稿を支持するものであることが好ましい。この場合、原稿の撮像時には、書込用ディスプレイが原稿を支持し、この支持された原稿を内部投射装置が撮像する。これにより、事前に専用の原稿を準備する必要がなくなる。
【００２４】
更に、前記書込用ディスプレイが、入射された光をそのまま透過させる透過モード及び入射された光を散乱させる散乱モードの２つのモードになる液晶パネルと、前記液晶パネル上に重ねられ前記書込情報が入力される入力タブレットと、を有することが好ましい。これにより、前記原稿の撮像時には、前記液晶パネルが前記透過モードとなり、前記内部投射装置が前記入力タブレット上に載置された原稿を撮像し、前記画像の投射時には、前記液晶パネルが前記散乱モードとなり、この液晶パネルに前記画像及び前記書込情報が投射される。この結果、可動部品を設けることなく、原稿の撮像並びに画像の投射及び書込を容易に行うことができる。
【００２５】
又は、前記書込用ディスプレイが、前記内部投射装置に対して固定された透明板と、この透明板を露出させるか覆うかを切り替えられる撮像面カバーと、を有し、前記撮像面カバーは、前記内部投射装置が投射した前記画像及び前記書込情報を表示するスクリーンと、このスクリーン上に重ねられ前記書込情報が入力される入力タブレットと、を有していてもよい。これにより、前記原稿の撮像時には、前記内部投射装置が前記透明板上に載置された原稿を撮像し、前記画像の投射時には、前記透明板上から前記原稿が除かれて前記撮像面カバーが前記透明板を覆い、前記スクリーンに前記画像が投射される。この結果、液晶パネルを省略することができる。
【００２６】
本発明に係る投射表示方法は、画像を投射して表示する投射表示方法において、原稿を撮像して前記画像を得る撮像工程と、前記画像を書込用ディスプレイに対して投射しながら前記書込用ディスプレイに前記書込情報を入力する書込情報入力工程と、前記画像及び前記書込情報を前記投射表示装置の外部に投射する外部投射工程と、を有することを特徴とする。
【発明の効果】
【００２７】
本発明によれば、画像を表示すると共にこの画像に対する書込情報が入力される書込用ディスプレイを設けることにより、表示画像に対する書込が容易な投射表示装置を提供することができる。
【発明を実施するための最良の形態】
【００２８】
以下、本発明の実施形態について添付の図面を参照して具体的に説明する。先ず、本発明の第１の実施形態について説明する。図１（ａ）は本実施形態に係る撮像装置付投射表示装置を示す斜視図であり、（ｂ）はこの撮像装置付投射表示装置の上部ユニットを示す断面図であり、図２（ａ）はこの撮像装置付投射表示装置の書込用ディスプレイを示す断面図であり、（ｂ）はその液晶パネルを示す断面図であり、図３（ａ）及び（ｂ）はこの書込用ディスプレイの液晶パネルの作製方法をその工程順に示す斜視図であり、図４（ａ）及び（ｂ）はこの書込用ディスプレイの液晶パネルの動作を示す断面図であり、図５はこの書込用ディスプレイのタッチパネルを示す断面図であり、図６はこの撮像装置付投射表示装置の外部投射装置を示す光学モデル図である。
【００２９】
図１（ａ）及び（ｂ）に示すように、本実施形態に係る撮像装置付投射表示装置１（以下、単に表示装置１ともいう）は、上部ユニット２及び下部ユニット３から構成されており、下部ユニット３上に上部ユニット２が搭載されている。上部ユニット２においては、下部ユニット３の筐体１０の上部に嵌合するフレーム４が設けられている。フレーム４には矩形の開口部４ａが形成されており、開口部４ａには、その上に原稿を載置でき、画像を表示でき、更にペン入力により情報を入力できる書込用ディスプレイ５が嵌め込まれている。即ち、表示装置１においては、前述の従来の撮像装置付投射表示装置におけるガラス板１０５（図２７参照）の替わりに、書込用ディスプレイ５が設けられている。
【００３０】
また、フレーム４の４つの辺部からは夫々台形状の反射防止板からなる側板６ａが下方に向かって傾斜して延びており、側板６ａの下端には底板６ｂが連結されている。そして、底板６ｂの開口部には撮像装置７及び小型投射装置２６が取り付けられている。なお、撮像装置７及び小型投射装置２６により内部投射装置が構成されている。撮像装置７の上面には書込用ディスプレイ５に対向するようにレンズ７ａが設けられており、レンズ７ａの下方にはレンズ７ａを介して画像を撮像して電子化する撮像素子７ｂが設けられている。また、小型投射装置２６の上面には書込用ディスプレイ５に対向するようにレンズ２６ａが設けられており、レンズ２６ａの下方には液晶ライトバルブ２６ｂが設けられており、液晶ライトバルブ２６ｂの下方には光源２６ｃが設けられている。そして、書込用ディスプレイ５、４枚の側板６ａ、底板６ｂにより、逆四角錐台形状の空間が区画されている。即ち、書込用ディスプレイ５がこの逆四角錐台形の上面を構成し、側板６ａが側面を構成し、底板６ｂが下面を構成している。そして、側板６ａの裏側、即ち、前記空間の外側のうち相互に対向する２ヶ所の位置には各１本の冷陰極管８が設けられている。冷陰極管８から出射した光は反射板（図示せず）により反射され、間接的に原稿を照明するようになっている。更に、フレーム４には表示装置１の動作を制御する操作パネル（図示せず）が設けられている。
【００３１】
また、フレーム４の一端には撮像面カバー９がその一端が回動可能になるように連結されており、書込用ディスプレイ５に対して扉状のカバーとして機能するようになっている。即ち、撮像面カバー９が開いているときは、書込用ディスプレイ５が露出されてその上に原稿を載置でき、撮像面カバー９が閉じているときは、書込用ディスプレイ５が撮像面カバー９に覆われて外光が撮像装置７に入射することを防止できるようになっている。更に、撮像面カバー９の前記一端はフレーム４から取り外し可能となっており、本等の厚い原稿を撮像する場合には、撮像面カバー９を取り外して撮像できるようになっている。
【００３２】
図２（ａ）及び（ｂ）に示すように、書込用ディスプレイ５は液晶パネル２７及び入力タブレット（タッチパネル）２８が重ね合わされて構成されている。液晶パネル２７は、相互に対向するように配置された２枚のガラス板２９が設けられており、各ガラス基板２９における他方のガラス基板に対向する面には透明電極３０が形成されている。また、ガラス板２９間には枠状に成形されたシール剤３１が配設されており、ガラス基板２９間におけるシール剤３１に囲まれた部分には高分子分散型液晶３２が封止されている。高分子分散型液晶３２は、紫外線により硬化された透明な高分子樹脂中３３に、液体の液晶ドロップレット３４が分散されたものである。
【００３３】
この液晶パネル２７の作製方法について説明する。先ず、図３（ａ）に示すように、２枚のガラス基板２９の表面に透明電極３０を形成する。そして、ガラス基板２９を透明電極３０が形成された面が相互に対向するように、間に枠状に成形され固化されたシール剤３１を介して重ね合わせる。このとき、シール剤３１には開口部を形成しておく。次に、図３（ｂ）に示すように、２枚のガラス板２９間におけるシール剤３１に囲まれた部分に、シール剤３１の開口部から高分子分散型液晶３２を注入し、この開口部を封止する。そして、外部から紫外線ＵＶを照射して高分子分散型液晶３２の高分子樹脂を硬化させる。これにより、液晶パネル２７が作製される。
【００３４】
図４（ａ）に示すように、この液晶パネル２７は、透明電極３０間に電圧が印加されると、高分子分散型液晶３２の高分子樹脂３３中に分散された液晶ドロップレット３４が一様に配向し、入射された光３５を透過させるようになる。また、図４（ｂ）に示すように、透明電極３０間に電圧が印加されないと、液晶ドロップレット３４がランダムに配向し、光３５を散乱させるようになる。なお、液晶パネル２７はそれ自体が画像を形成するものではなく、全体として透過板及び散乱板として機能するものである。
【００３５】
図５に示すように、入力タブレット２８は例えば抵抗膜方式のタッチパネルである。入力タブレット２８においては、ガラス基板３６が設けられており、ガラス基板３６の上面には透明電極３７が形成されており、透明電極３７上には複数個の絶縁性のスペーサ３８が設けられている。そして、スペーサ３８上には透明フィルム３９が設けられており、透明フィルム３９におけるガラス基板３６に対向する側の表面に透明電極４０が形成されている。入力タブレット２８においては、外部から圧力が印加されていない状態では、透明電極３７及び４０はスペーサ３８により相互に離隔されている。しかし、外部からペン４１により圧力が印加されると、透明フィルム３９におけるペン４１により押圧された部分が撓み、透明電極４０が透明電極３７に接触し、導通する。このとき、透明電極３７と透明電極４０との間の抵抗値の変化を測定することにより、ペン４１が押圧した位置を特定することができる。この結果、ユーザがペン４１により入力タブレット２８に文字又は図形等を描画することにより、情報を入力することができる。
【００３６】
また、表示装置１における下部ユニット３の構成は、前述の従来の表示装置１０１における下部ユニット１０３の構成と同様である。即ち、図２８に示すように、筐体１０が設けられており、この筐体１０の内部に、外部から電源が供給されてこれを変圧して装置内の他の部分に供給する電源ユニット１１が設けられている。また、この電源ユニット１１から電源が供給されて光を出射するランプユニット１２が設けられている。更に、ランプユニット１２から出射された光に、撮像装置７（図１（ｂ）参照）から出力された画像データに基づいて画像を付加する光学系ユニット１３が設けられており、光学系ユニット１３により画像が付加された光を外部のスクリーン（図示せず）に向けて投射する投射レンズユニット１４が設けられている。更にまた、撮像装置７及び光学系ユニット１３を駆動する駆動回路１５が設けられている。
【００３７】
図６に示すように、光学系ユニット１３においては、ランプユニット１２から出射される光の光路に介在するにように、赤色の光を反射して他の色の光を透過させるダイクロイックミラー１６Ｒが設けられており、ダイクロイックミラー１６Ｒを透過した光の光路に介在するように、緑色の光を反射して他の色の光を透過させるダイクロイックミラー１６Ｇが設けられており、ダイクロイックミラー１６Ｇを透過した光、即ち青色光の光路に介在するように、ミラー１７ａが設けられている。また、ダイクロイックミラー１６Ｒにおいて反射した赤色光が照射される位置にミラー１７ｂが設けられており、ミラー１７ａにおいて反射した青色光が照射される位置にミラー１７ｃが設けられている。そして、ミラー１７ｂにおいて反射した赤色光の光路に介在するように液晶ライトバルブ１８ａが設けられており、ダイクロイックミラー１６Ｇにおいて反射した緑色光の光路に介在するように液晶ライトバルブ１８ｂが設けられており、ミラー１７ｃにおいて反射した青色光の光路に介在するように液晶ライトバルブ１８ｃが設けられている。液晶ライトバルブ１８ａ、１８ｂ及び１８ｃは、撮像装置７及び入力タブレット２８から出力された電子情報に基づいて夫々赤色、緑色及び青色の画像を形成するものである。即ち、前述の従来の表示装置とは異なり、入力タブレット２８を介して入力された情報は、駆動回路１５に入力され、撮像装置７により撮像された画像に重ねられて液晶ライトバルブ１８ａ乃至１８ｃに形成されるようになっている。更に、光学系ユニット１３には、液晶ライトバルブ１８ａ、１８ｂ及び１８ｃを透過して夫々画像が付加された各色の光が入射され、これらの光を統合して投射レンズユニット１４に対して出射するプリズム１９が設けられている。なお、ランプユニット１２、光学系ユニット１３及び投射レンズユニット１４により外部投射装置としての投射装置２０が構成されている。
【００３８】
次に、上述の如く構成された本実施形態に係る撮像装置付投射表示装置１の動作、即ち本実施形態に係る投射表示方法について説明する。図７は本実施形態に係る撮像装置付投射表示装置における画像情報の流れを示すブロック図であり、図８（ａ）はこの撮像装置付投射表示装置における原稿を撮像する動作を示す図であり、（ｂ）は撮像した画像を投射すると共にこの画像に対して書込を行う動作を示す図である。
【００３９】
先ず、原稿を撮像する動作について説明する。図７及び図８（ａ）に示すように、先ず、原稿２１を書込用ディスプレイ５上に載置する。このとき、原稿２１の表示したい面を下向きにし、この表示面が書込用ディスプレイ５の入力タブレット２８に接するようにする。そして、原稿２１が薄い原稿であれば、撮像面カバー９を閉じ、書込用ディスプレイ５と共に原稿２１を挟み込む。また、原稿２１が本等の厚い原稿であれば、撮像面カバー９をフレーム４から取り外す。これにより、書込用ディスプレイ５が原稿２１を支持する。このとき、書込用ディスプレイ５の液晶パネル２７には電圧が印加されており、液晶ドロップレット３４の配向は一様となっており、液晶パネル２７は透過モードになっている。次に、電源ユニット１１が冷陰極管８に電力を供給し、冷陰極管８が発光し、書込用ディスプレイ５を介して原稿２１の表示面を照明する。そして、撮像装置７が書込用ディスプレイ５を介して原稿２１の表示面を撮像し、撮像した光学情報を電子情報に変換する。
【００４０】
次に、表示画像をスクリーンに投射する動作及びこの画像に対して書込する動作について説明する。先ず、書込用ディスプレイ５上から原稿２１を取り除くと共に、液晶パネル２７に印加している電圧を切断し、液晶ドロップレット３４の配向をランダムにし、液晶パネル２７を散乱モードにする。そして、撮像装置７が電子情報を投射装置２０及び小型投射装置２６に対して出力する。投射装置２０は、前記電子情報に基づいて外部のスクリーン２２に画像を投射する。また、小型投射装置２６は散乱モードとなっている液晶パネル２７に対して、投射装置２０がスクリーン２２に投射した画像と同じ画像（書込用画像）を投射する。このとき、入力タブレット２８は透明であるため、ユーザは書込用ディスプレイ５においてこの書込用画像を見ることができる。なお、このとき必要に応じて、撮像された画像の一部を拡大して液晶パネル２７及びスクリーン２２に投射することもできる。
【００４１】
次に、図５に示すように、ユーザが液晶パネル２７に表示された書込用画像を見ながら、この書込用画像に上書きするように、ペン４１を使用して入力タブレット２８に書込情報を入力する。このとき、透明フィルム３９におけるペン４１により押圧された部分が撓み、透明電極４０が透明電極３７に接触し、透明電極４０と透明電極３７との間の抵抗値が変化する。そして、この抵抗値の変化を測定することにより、駆動回路１５に情報が入力され、この情報が駆動回路１５から投射装置２０及び小型投射装置２６に対して出力される。
【００４２】
この結果、図７に示すように、投射装置２０には撮像装置７から出力された電子情報及び入力タブレット２８から入力された電子情報の双方が入力され、これらの電子情報に基づいて、光学系ユニット１３の液晶ライトバルブ１８ａ乃至１８ｃが画像を形成する。このとき、ランプユニット１２から出射した光が液晶ライトバルブ１８ａ乃至１８ｃを透過することにより画像が付加され、この画像が投射ユニット１４により外部のスクリーン２２に投射される。これにより、原稿２１及びユーザの書込情報の双方がスクリーン２２に表示される。また、同じ情報が液晶パネル２７にも投射される。更に、駆動回路１５には原稿２１及びユーザの書込情報の双方が記録される。なお、上述の書込作業には、書込用画像の一部を消去する等の編集作業も含まれる。
【００４３】
このように、本実施形態によれば、ユーザが書込用ディスプレイ５上において画像を見ながら、この画像に上書きするようにして、追加情報を書き込むことができる。このため、ユーザはパーソナルコンピュータ等の他の入力装置を操作する必要がなく、またユーザが撮像装置付投射装置から離れる必要もなく、容易に書込を行うことができる。また、外部のスクリーンには撮像された原稿に追加情報が書き込まれる様子がリアルタイムに表示されるため、視聴者はユーザ（発表者）の意思を正確に理解することができる。更に、液晶パネル２７には必要に応じて撮像した画像の一部を拡大して投射でき、この拡大画像に対して書込を行うことができるため、入力タブレットの精度を超えて精密な書込を行うことができる。
【００４４】
また、本実施形態においては、書込を行うための他の入力装置を必要としないため、プレゼンテーションに必要な装置のコンパクト化を図ることができると共に、設備コストを低減することができる。更に、種々の形態の資料をそのまま原稿として使用することができ、この原稿に対して、書込用ディスプレイ上で容易に書込及び消去等の編集を行うことができる。更にまた、撮像した画像と共に、書込した情報も電子データとして保存することができる。更にまた、本実施形態の表示装置に設けられている液晶パネル２７は、それ自体で画像を表示する必要がないため構造が単純であり、低コストで作製することができる。
【００４５】
なお、本実施形態においては、小型投射装置２６として液晶ライトバルブを使用する投射装置を用いたが、デジタル・マイクロミラー・デバイス（ＤＭＤ）等を使用する投射装置を用いてもよい。
【００４６】
次に、本第１の実施形態の第１の変形例について説明する。図９は本第１の変形例に係る表示装置の上部ユニットを示す斜視図である。前述の第１の実施形態においては、書込用ディスプレイが抵抗膜方式の入力タブレットを備えている例を示したが、本変形例においては、書込用ディスプレイは赤外線遮断方式の入力装置を備えている。図９に示すように、本変形例においては、フレーム４における相互に隣り合う２辺に複数の発光素子５２が１列に配列されており、他の相互に隣り合う２辺に発光素子５２に対応した複数の受光素子５３が１列に配列されている。発光素子５２は赤外線５４を受光素子５３に向けて出力するものであり、受光素子５３はこの赤外線５４を検知するものである。ユーザがペン５５により液晶パネル２７上で図形を描くと、このペン５５により赤外線５４が遮断され、ペン５５の位置が認識される。これにより、撮像した画像に対して書込を行うことができる。なお、ペン５５の替わりにユーザの指等により図形を描いてもよい。
【００４７】
次に、本第１の実施形態の第２の変形例について説明する。図１０は本第２の変形例に係る表示装置の上部ユニットを示す図である。図１０に示すように、本変形例においては、書込用ディスプレイは赤外線発光ペン方式の入力装置を備えている。本変形例においては、先端が押圧されるとこの先端から赤外線５６を発光する入力ペン５７を使用して、ユーザが入力ペン５７の先端を液晶パネル２７に押付けながら図形を描く。そして、撮像装置７がこの赤外線５６を検知し、入力ペン５７の位置を認識する。これにより、撮像した画像に対して書込を行うことができる。なお、このとき、撮像装置７は、必要に応じて小型投射装置２６が投射する画像の信号から赤外線５６を識別する処理を行う。
【００４８】
次に、本第１の実施形態の第３の変形例について説明する。図１１は本第３の変形例に係る表示装置の上部ユニットを示す斜視図である。図１１に示すように、本変形例においては、書込用ディスプレイは超音波三角測量方式の入力装置を備えている。本変形例においては、ユーザは入力ペン５８を使用して書込を行う。入力ペン５８は、入力ペン５８の先端が押圧されているか否かを検知する感圧センサ（図示せず）と、この感圧センサが圧力を検知したときに入力ペン５８の先端から超音波を発生する超音波発生装置（図示せず）とを備えている。また、フレーム４の一辺とこの一辺に隣接する他の辺には夫々、超音波を検出するディテクタ５９が設けられている。これにより、ユーザが入力ペン５８を液晶パネル２７に押付けながら図形を描くと、入力ペン５８が超音波を発生し、２つのディテクタ５９が三角測量法により超音波の発生位置、即ち、入力ペン５８の先端の位置を認識する。これにより、撮像した画像に対して書込を行うことができる。
【００４９】
次に、本第１の実施形態の第４の変形例について説明する。図１２は本第４の変形例に係る表示装置の上部ユニットを示す断面図である。図１２に示すように、本変形例においては、書込用ディスプレイは電磁誘導方式の入力装置を備えている。本変形例においては、ユーザは入力ペン６０を使用して書込を行う。入力ペン６０はコイル６１を備えている。また、磁界を感知するセンサ（図示せず）及び磁界を発生する電極（図示せず）が設けられたタブレット６３上に液晶パネル２７が積層されている。電極がタブレット６３の表面に磁界６４を形成し、その中を入力ペン６０が動くことにより、入力ペン６０に内蔵されたコイル６１に電流が流れ、この電流によりコイル６１の周囲に磁界６２が形成される。そして、この磁界６２をタブレット６３のセンサが感知する。この動作を短い周期で繰返すことにより、入力ペン６０の軌跡を認識することができる。これにより、撮像した画像に対して書込を行うことができる。
【００５０】
次に、本第１の実施形態の第５の変形例について説明する。図１３は本第５の変形例に係る撮像装置付投射表示装置を示す図である。前述の第１の実施形態においては、原稿の撮像時に冷陰極管８（図１参照）が原稿２１を照明する例を示したが、本変形例の表示装置には冷陰極管は設けられておらず、小型投射装置２６の光源２６ｃが原稿２１を照明する。これにより、冷陰極管を省略することができ、コストを低減することができる。
【００５１】
次に、表示装置に組み込む小型投射装置の変形例について説明する。本実施形態において使用可能な小型投射装置の例を表１に示す。表１に示すように、小型投射装置には、画像形成装置として透過型ライトバルブを使用する方法、反射型ライトバルブを使用する方法、デジタル・マイクロミラー・デバイス（ＤＭＤ）を使用する方法がある。また、画像形成装置として透過型ライトバルブを使用する方法及び反射型ライトバルブを使用する方法には、夫々、ＲＧＢ各色用の３枚のパネル（ライトバルブ）を使用する３板式と、１枚のパネルを使用する単板式とがある。更に、単板式には、カラーフィルタを使用してパネルの１画素をＲＧＢ３色のサブ画素により形成する面積分割のカラー混色方式であるカラーフィルタ方式と、パネルにはモノクロパネルを用いて光源の色を高速にＲＧＢに切り替える時分割のカラー混色方式であるカラーシーケンシャル方式がある。３板式はＲＧＢ３色の光源を使用し、カラーフィルタ方式は白色の光源を使用し、カラーシーケンシャル方式は上述の如く光の色をＲＧＢ３色間で高速に切り替えられる光源を使用する。また、画像形成装置としてＤＭＤを使用する場合は、白色光源及びカラーホイールを使用する。
【００５２】
【表１】
2005215214.tif 000003
【００５３】
以下、表１に示すＮｏ．１（透過型ライトバルブの３板式）を第１の実施形態の第６及び第７の変形例に示し、Ｎｏ．２（透過型ライトバルブのカラーフィルタ方式）を第８の変形例に示し、Ｎｏ．３（透過型ライトバルブのカラーシーケンシャル方式）を第９の変形例に示し、Ｎｏ．４（反射型ライトバルブの３板式）を第１０及び第１１の変形例に示し、Ｎｏ．５（反射型ライトバルブのカラーフィルタ方式）を第１２の変形例に示し、Ｎｏ．６（反射型ライトバルブのカラーシーケンシャル方式）を第１３の変形例に示し、ＤＭＤ方式を第１４の変形例に示す。
【００５４】
先ず、第１の実施形態の第６の変形例、即ち、表１に示すＮｏ．１（透過型３板式）について説明する。図１４は本変形例に係る撮像装置付投射表示装置を示す図である。図１４に示すように、本変形例に係る表示装置においては、小型投射装置において、光源としてＲＧＢ各色の面光源８１Ｒ、８１Ｇ、８１Ｂが設けられている。面光源８１Ｒ、８１Ｇ、８１Ｂは、ＬＥＤ（Light Emitting Diode：発光ダイオード）及び導光板を備えており、面状に発光するものである。また、各面光源から出射する光の光路に介在するように、夫々各色用の画像を形成するモノクロの透過型液晶ライトバルブ８２Ｒ、８２Ｇ、８２Ｂが設けられている。更に、液晶ライトバルブ８２Ｒ、８２Ｇ、８２Ｂを透過した光が交わる部分にプリズム８３が設けられており、プリズム８３と書込用ディスプレイ５との間にレンズ８４が設けられている。一方、撮像装置７においては、撮像素子７ｂとしてモノクロのＣＣＤ（Charge-Coupled Device：電荷結合素子）が設けられている。
【００５５】
次に、本変形例の動作、即ち本変形例に係る投射表示方法について説明する。原稿の撮像時には各面光源８１Ｒ、８１Ｇ、８１Ｂが順次点灯して原稿を照明する。このとき、モノクロＣＣＤが順次原稿の画像を取り込み、その後３色分の画像を合成することにより、フルカラーの画像認識が可能となる。また、画像の投射時には、面光源８１Ｒ、８１Ｇ、８１Ｂが各色の光を出射し、これらの光が夫々透過型液晶ライトバルブ８２Ｒ、８２Ｇ、８２Ｂを透過することにより各色の画像が付加される。そして、プリズム８３において各色の光が合成され、レンズ８４により拡光され、書込用ディスプレイ５に対して投射される。
【００５６】
本変形例においては、光源として、ＲＧＢ各色のＬＥＤ及び導光板を備えた面光源を使用することにより、小型投射装置の小型化を図ることができる。また、各面光源８１Ｒ、８１Ｇ、８１Ｂが順次点灯して原稿を照明することにより、冷陰極管が不要となると共に、撮像素子としてモノクロのＣＣＤを使用できるため、低コストな設備により高解像度の撮像が可能となる。更に、モノクロの液晶ライトバルブを使用することにより、明るい表示が可能となる。本変形例における上記以外の構成、動作及び効果は、前述の第１の実施形態と同様である。なお、冷陰極管及び各面光源を同時に点灯して原稿を照明し、カラーＣＣＤにより撮像してもよい。
【００５７】
次に、第１の実施形態の第７の変形例について説明する。本変形例は、表１に示すＮｏ．１（透過型３板式）において、光源として白色光源を使用する例である。図１５は本変形例に係る撮像装置付投射表示装置を示す図である。図１５に示すように、本変形例に係る表示装置においては、前述の第６の変形例と比較して、面光源８１Ｒ、８１Ｇ、８１Ｂの替わりに、白色光源８５、赤色の光を反射して他を透過するダイクロイックミラー８６Ｒ、緑色の光を反射して他を透過するダイクロイックミラー８６Ｇ、光を全反射するミラー８７ａ、８７ｂ、８７ｃが設けられている点が異なっている。具体的には、小型投射装置において、白色光源８５が出射する光の光路に沿って、ダイクロイックミラー８６Ｒ、ダイクロイックミラー８６Ｇ、ミラー８７ａ及び８７ｂがこの順に配置されており、ダイクロイックミラー８６Ｇの透過光（青色光）が透過型液晶ライトバルブ８２Ｂに入射するようになっている。また、ダイクロイックミラー８６Ｇの反射光（緑色光）は透過型液晶ライトバルブ８２Ｂに入射するようになっている。更に、ダイクロイックミラー８６Ｒの反射光（赤色光）の光路上にミラー８７ｃが配置されており、ダイクロイックミラー８６Ｒの反射光はミラー８７ｃにより反射されて、透過型液晶ライトバルブ８２Ｒに入射するようになっている。一方、撮像装置７においては、撮像素子７ｂとしてモノクロのＣＣＤが設けられている。
【００５８】
次に、本変形例の動作、即ち本変形例に係る投射表示方法について説明する。白色光源８５が白色光を出射し、この光がダイクロイックミラー８６Ｒに入射する。これにより、白色光のうち赤色の光がダイクロイックミラー８６Ｒにより反射され、ミラー８７ｃにより反射され、透過型液晶ライトバルブ８２Ｒに入射する。また、ダイクロイックミラー８６Ｒを透過した光のうち、緑色の光がダイクロイックミラー８６Ｇにより反射され、透過型液晶ライトバルブ８２Ｇに入射する。更に、ダイクロイックミラー８６Ｇを透過した光（青色光）がミラー８７ａ及び８７ｂにより反射され、透過型液晶ライトバルブ８２Ｂに入射する。
【００５９】
そして、原稿の撮像時には、透過型液晶ライトバルブ８２Ｒ、８２Ｇ、８２Ｂのいずれか１つを透過状態とし、他の２つを不透過状態とすることにより、各色の光が順次原稿を照明する。このとき、モノクロＣＣＤが順次原稿の画像を取り込み、その後３色分の画像を合成することにより、フルカラーの画像認識が可能となる。また、画像の投射時には、各色の光が夫々透過型液晶ライトバルブ８２Ｒ、８２Ｇ、８２Ｂを透過することにより各色の画像が付加され、プリズム８３において各色の光が合成され、レンズ８４により拡光され、書込用ディスプレイ５に対して投射される。
【００６０】
本変形例においては、ダイクロイックミラー等からなる光学系として、光学系ユニット１３と同じものを使用することができる。また、各色の光が順次原稿を照明することにより、冷陰極管が不要となると共に、撮像素子としてモノクロのＣＣＤを使用できるため、低コストな設備により高解像度の撮像が可能となる。更に、モノクロの液晶ライトバルブを使用することにより、明るい表示が可能となる。本変形例における上記以外の構成、動作及び効果は、前述の第１の実施形態と同様である。なお、原稿を撮像する際に、透過型液晶ライトバルブ８２Ｒ、８２Ｇ、８２Ｂの全てを透過状態として白色光により原稿を照明し、カラーＣＣＤにより撮像してもよい。また、冷陰極管により原稿を照明し、カラーＣＣＤにより撮像してもよい。
【００６１】
次に、第１の実施形態の第８の変形例、即ち、表１に示すＮｏ．２（透過型カラーフィルタ方式）について説明する。図１６は本変形例に係る撮像装置付投射表示装置を示す図である。本変形例の構成は前述の第１の実施形態と同様であるが、本変形例においては、小型投射装置についてより詳細に説明する。図１６に示すように、本変形例に係る表示装置においては、小型投射装置２６において、白色光源として光源２６ｃが設けられている。また、光源２６ｃから出射する光の光路に介在するように、透過型液晶ライトバルブ２６ｂが設けられている。透過型液晶ライトバルブ２６ｂはカラーフィルタを備え、各画素がＲＧＢ３色のサブ画素により構成されたものである。更に、透過型液晶ライトバルブ２６ｂと書込用ディスプレイ５との間にレンズ２６ａが設けられている。一方、撮像装置７においては、撮像素子７ｂとしてカラーのＣＣＤが設けられている。
【００６２】
次に、本変形例の動作、即ち本変形例に係る投射表示方法について説明する。原稿の撮像時には冷陰極管８又は光源２６ｃが点灯して原稿を照明する。そして、カラーＣＣＤが原稿を撮像する。また、画像の投射時には、光源２６ｃが白色光を出射し、この白色光が透過型液晶ライトバルブ２６ｂを透過することによりカラー画像が付加され、レンズ２６ａにより拡光され、書込用ディスプレイ５に対して投射される。
【００６３】
本変形例においては、小型投射装置２６を各１つの光源２６ｃ、透過型液晶ライトバルブ２６ｂ、レンズ２６ａにより構成しているため、小型投射装置２６を極めて小型化することができる。なお、撮像素子７ｂとしてモノクロのＣＣＤを設けてもよい。この場合は、透過型液晶ライトバルブ２６ｂが各色のサブ画素を順次透過状態とすることにより、各色の光で順次原稿を照明し、これに同期してモノクロＣＣＤにより原稿を撮像し、その後３色分の画像を合成すればよい。
【００６４】
次に、第１の実施形態の第９の変形例、即ち、表１に示すＮｏ．３（透過型カラーシーケンシャル方式）について説明する。図１７は本変形例に係る撮像装置付投射表示装置を示す図である。図１７に示すように、本変形例に係る表示装置においては、小型投射装置において、光源としてＲＧＢ各色の光を短時間で切り替えて出射するＬＥＤ８８が設けられており、ＬＥＤ８８から出射する光の光路に介在するように、モノクロの透過型液晶ライトバルブ８９が設けられている。更に、透過型液晶ライトバルブ８９と書込用ディスプレイ５との間にレンズ８４が設けられている。一方、撮像装置７においては、撮像素子７ｂとしてモノクロのＣＣＤが設けられている。
【００６５】
次に、本変形例の動作、即ち本変形例に係る投射表示方法について説明する。原稿の撮像時にはＬＥＤ８８が各色の光を順次切り替えて出射して原稿を照明する。そしてこれに同期して、モノクロＣＣＤが順次原稿の画像を取り込み、その後３色分の画像を合成することにより、フルカラーの画像を形成する。また、画像の投射時には、ＬＥＤ８８が各色の光を順次出射し、これに同期してモノクロの透過型液晶ライトバルブ８９が各色用の画像を形成する。これにより、書込用ディスプレイ５に各色の画像が順次投射される。そして、色の切換周期を十分に短くすることにより、ユーザにフルカラーの画像を認識させることができる。
【００６６】
本変形例においては、原稿の撮像時にＬＥＤ８８が各色の光を順次出射して原稿を照明することにより、冷陰極管が不要となると共に、撮像素子としてモノクロのＣＣＤを使用できるため、低コストな設備により高解像度の撮像が可能となる。また、小型投射装置を各１つの光源、透過型液晶ライトバルブ、レンズにより構成できるため、小型投射装置を極めて小型化することができる。即ち、前述の第８の変形例と同等なサイズの小型投射装置により、前述の第６の変形例と同等の解像度を得ることができる。更に、モノクロの液晶ライトバルブを使用することにより、明るい表示が可能となる。本変形例における上記以外の構成、動作及び効果は、前述の第１の実施形態と同様である。なお、冷陰極管により原稿を照明し、カラーＣＣＤにより撮像してもよい。
【００６７】
次に、第１の実施形態の第１０の変形例、即ち、表１に示すＮｏ．４（反射型３板式）について説明する。図１８は本変形例に係る撮像装置付投射表示装置を示す図である。図１８に示すように、本変形例に係る表示装置においては、小型投射装置において、光源としてＲＧＢ各色の面光源８１Ｒ、８１Ｇ、８１Ｂが設けられている。面光源８１Ｒ、８１Ｇ、８１Ｂは夫々ＬＥＤ及び導光板を備え、赤色、緑色、青色の光を面状に出射するものである。また、各面光源８１Ｒ、８１Ｇ、８１Ｂから出射する光の光路に夫々介在するように、ＰＢＳ（Polarization Beam Splitter：偏光ビームスプリッタ）９０Ｒ、９０Ｇ、９０Ｂが設けられており、各面光源から出射した光がＰＢＳを介して入射される位置に夫々各色用の画像を形成する反射型液晶ライトバルブ９１Ｒ、９１Ｇ、９１Ｂが設けられている。反射型液晶ライトバルブ９１Ｒ、９１Ｇ、９１Ｂはモノクロの液晶ライトバルブである。更に、反射型液晶ライトバルブ９１Ｒ、９１Ｇ、９１Ｂにより反射され、ＰＢＳ９０Ｒ、９０Ｇ、９０Ｂを通過した光が交わる位置にプリズム８３が設けられており、プリズム８３と書込用ディスプレイ５との間にレンズ８４が設けられている。即ち、プリズム８３の周囲にＰＢＳ９０Ｒ、９０Ｇ、９０Ｂが配置され、これらのＰＢＳからプリズム８３に入射した光が出射する位置に、レンズ８４が配置されている。一方、撮像装置７においては、撮像素子７ｂとしてモノクロのＣＣＤが設けられている。
【００６８】
次に、本変形例の動作、即ち本変形例に係る投射表示方法について説明する。原稿の撮像時には、各面光源８１Ｒ、８１Ｇ、８１Ｂが順次点灯して、各色の光を順次出射する。そして、これらの光が夫々ＰＢＳ９０Ｒ、９０Ｇ、９０Ｂに入射し、ＰＢＳ９０Ｒ、９０Ｇ、９０Ｂ内で反射されて、夫々反射型液晶ライトバルブ９１Ｒ、９１Ｇ、９１Ｂに照射される。そして、反射型液晶ライトバルブ９１Ｒ、９１Ｇ、９１Ｂで全反射されて、ＰＢＳ９０Ｒ、９０Ｇ、９０Ｂを通過し、プリズム９３、レンズ９４を通過して原稿を照明する。これと同期してモノクロＣＣＤが順次原稿の画像を取り込み、その後３色分の画像を合成することにより、フルカラーの画像を認識する。また、画像の投射時には、面光源８１Ｒ、８１Ｇ、８１Ｂが各色の光を出射し、これらの光が夫々ＰＢＳ９０Ｒ、９０Ｇ、９０Ｂに入射し、ＰＢＳ９０Ｒ、９０Ｇ、９０Ｂ内で反射されて、夫々反射型液晶ライトバルブ９１Ｒ、９１Ｇ、９１Ｂに照射される。そして、これらの光が反射型液晶ライトバルブ９１Ｒ、９１Ｇ、９１Ｂにおいて選択的に反射されて各色の画像が付加され、ＰＢＳ９０Ｒ、９０Ｇ、９０Ｂを通過し、プリズム９３により合成され、レンズ９４を介して書込用ディスプレイ５に投射される。
【００６９】
本変形例においては、前述の第６の変形例と比較して、透過型液晶ライトバルブではなく反射型液晶ライトバルブを使用しているため、開口率が高く表示が明るいという利点がある。これに対して、前述の第６の変形例は、本変形例と比較して、ＰＢＳが不要であるため光学系が簡略化され、コストの低減及び小型化を図ることができるという利点がある。また、本変形例の小型投射装置は３板式であるため、単板式の装置と比較して、明るく高精細な表示が可能となる。これに対して、単板式の装置は３板式の装置と比較して、コストが低くサイズが小さいという利点がある。本変形例における上記以外の構成、動作及び効果は、前述の第１の実施形態の第６の変形例と同様である。なお、原稿の撮像時には、冷陰極管により原稿を照明し、カラーＣＣＤにより撮像してもよい。
【００７０】
次に、第１の実施形態の第１１の変形例について説明する。本変形例は、表１に示すＮｏ．４（反射型３板式）において、光源として白色光源を使用する例である。図１９は本変形例に係る撮像装置付投射表示装置を示す図である。図１９に示すように、本変形例に係る表示装置においては、前述の第１０の変形例と比較して、面光源８１Ｒ、８１Ｇ、８１Ｂの替わりに、白色光源８５、青色光と青色光以外の光とを分離するダイクロイックミラー８６Ｂ、緑色の光を反射して他を透過するダイクロイックミラー８６Ｇ、光を全反射するミラー８７ｄ、８７ｅが設けられている点が異なっている。具体的には、小型投射装置において、白色光源８５が出射する光の光路上にダイクロイックミラー８６Ｂが配置されており、ダイクロイックミラー８６Ｂにより分離された青色光をＰＢＳ９０Ｂに向けて反射するようにミラー８７ｄが配置されている。また、ダイクロイックミラー８６Ｂにより分離された青色光以外の光の光路上にミラー８７ｅが配置されており、ミラー８７ｅにより反射された光の光路上にダイクロイックミラー８６Ｇが配置されている。そして、ダイクロイックミラー８６Ｇにより反射された緑色光がＰＢＳ９０Ｇに入射し、ダイクロイックミラー８６Ｇを透過した光（赤色光）がＰＢＳ９０Ｒに入射するようになっている。本変形例における上記以外の構成は、前述の第１０の変形例と同様である。
【００７１】
次に、本変形例の動作、即ち本変形例に係る投射表示方法について説明する。白色光源８５が白色光を出射し、この光がダイクロイックミラー８６Ｂに入射する。これにより、白色光が青色光とそれ以外の光とに分離され、青色光はミラー８７ｄにより反射され、ＰＢＳ９０Ｂに入射する。また、青色光以外の光はミラー８７ｅにより反射され、ダイクロイックミラー８６Ｇに入射する。そして、この光にうち緑色の光はダイクロイックミラー８６Ｇにより反射され、ＰＢＳ９０Ｇに入射する。また、ダイクロイックミラー８６Ｇを透過した光（赤色光）は、ＰＢＳ９０Ｒに入射する。
【００７２】
そして、画像の投射時には、各色の光が夫々反射型液晶ライトバルブ９１Ｒ、９１Ｇ、９１Ｂにより選択的に反射されることにより各色の画像が付加され、ＰＢＳ９０Ｒ、９０Ｇ、９０Ｂにより偏光方向が反転され、プリズム８３において各色の光が合成され、レンズ８４により拡光され、書込用ディスプレイ５に対して投射される。本変形例における上記以外の動作は、前述の第１０の変形例と同様である。
【００７３】
次に、第１の実施形態の第１２の変形例、即ち、表１に示すＮｏ．５（反射型カラーフィルタ方式）について説明する。図２０は本変形例に係る撮像装置付投射表示装置を示す図である。図２０に示すように、本変形例においては、前述の第８の変形例（図１６参照）と比較して、透過型液晶ライトバルブ２６ｂの替わりに、ＰＢＳ９２及びカラーフィルタを備えた反射型液晶ライトバルブ９３が設けられている点が異なっている。即ち、白色光源２６ｃから出射された光を反射型液晶ライトバルブ９３に入射させると共に、反射型液晶ライトバルブ９３により反射された光をレンズ２６ａに向けて出射するように、ＰＢＳ９２が配置されている。一方、撮像装置７においては、撮像素子７ｂとしてカラーのＣＣＤが設けられている。
【００７４】
次に、本変形例の動作、即ち本変形例に係る投射表示方法について説明する。原稿の撮像時には冷陰極管８又は光源２６ｃが点灯して原稿を照明する。そして、カラーＣＣＤが原稿を撮像する。また、画像の投射時には、光源２６ｃが白色光を出射し、この白色光がＰＢＳ９２を介して反射型液晶ライトバルブ９２に入射し、反射型液晶ライトバルブ９３により反射されることによりカラー画像が付加され、ＰＢＳ９２を通過して偏光方向が反転された後、レンズ２６ａにより拡光され、書込用ディスプレイ５に対して投射される。
【００７５】
本変形例においては、小型投射装置２６を各１つの光源２６ｃ、反射型液晶ライトバルブ９３、ＰＢＳ９２、レンズ２６ａにより構成しているため、前述の第１０及び第１１の変形例と比較して、小型投射装置をコンパクト化することができる。また、反射型液晶ライトバルブを使用しているため、透過型液晶ライトバルブを使用する前述の第８の変形例と比較して、表示画像を明るくすることができる。なお、撮像素子７ｂとしてモノクロのＣＣＤを設けてもよい。この場合は、反射型液晶ライトバルブ９３が各色のサブ画素を順次反射状態とすることにより、各色の光で順次原稿を照明し、これに同期してモノクロＣＣＤにより原稿を撮像し、その後３色分の画像を合成すればよい。
【００７６】
次に、第１の実施形態の第１３の変形例、即ち、表１に示すＮｏ．６（反射型カラーシーケンシャル方式）について説明する。図２１は本変形例に係る撮像装置付投射表示装置を示す図である。図２１に示すように、本変形例に係る表示装置においては、小型投射装置において、光源としてＲＧＢ各色の光を短時間で切り替えて出射するＬＥＤ８８が設けられており、ＬＥＤ８８から出射する光の光路に介在するように、ＰＢＳ９２及びカラーフィルタを備えた反射型液晶ライトバルブ９３が設けられている。更に、ＰＢＳ９２と書込用ディスプレイ５との間にレンズ８４が設けられている。一方、撮像装置７においては、撮像素子７ｂとしてモノクロのＣＣＤが設けられている。
【００７７】
次に、本変形例の動作、即ち本変形例に係る投射表示方法について説明する。原稿の撮像時にはＬＥＤ８８が各色の光を順次切り替えて出射して原稿を照明する。そしてこれに同期して、モノクロＣＣＤが順次原稿の画像を取り込み、その後３色分の画像を合成することにより、フルカラーの画像を形成する。また、画像の投射時には、ＬＥＤ８８が各色の光を順次出射し、これに同期してモノクロの反射型液晶ライトバルブ９３が各色用の画像を形成する。これにより、ＬＥＤ８８から出射した光が、ＰＢＳ９２を介して反射型液晶ライトバルブ９３に入射し、反射型液晶ライトバルブ９３により選択的に反射されることで画像が付加され、ＰＢＳ９２、レンズ８４を介して書込用ディスプレイ５に画像が投射される。そして、各色の画像を順次切り替えて投射することにより、ユーザにフルカラーの画像を認識させることができる。
【００７８】
次に、第１の実施形態の第１４の変形例、即ち、表１に示すＮｏ．７（ＤＭＤ方式）について説明する。図２２は本変形例に係る撮像装置付投射表示装置を示す図である。図２２に示すように、本変形例に係る表示装置においては、小型投射装置において、白色光源９４が設けられており、この白色光源９４が出射する光の光路に介在するようにカラーフィルタホイール９５が設けられている。カラーフィルタホイ−ル９５においては、回転軸の周囲にＲＧＢ各色のカラーフィルタ９５ａが配置されており、カラーフィルタホイ−ル９５が回転することにより各色のカラーフィルタ９５ａが順次前記光路に介在するようになっている。また、前記光路上におけるカラーフィルタホイール９５の前後には、レンズ９６ａ及び９６ｂが設けられている。更に、前記光路上におけるレンズ９６ｂの後方には、ＤＭＤ９７が設けられている。更にまた、ＤＭＤ９７と書込用ディスプレイ５との間には、レンズ８４が設けられている。一方、撮像装置７においては、撮像素子７ｂとしてモノクロのＣＣＤが設けられている。
【００７９】
次に、本変形例の動作、即ち本変形例に係る投射表示方法について説明する。原稿の撮像時には、白色光源９４が白色光を出射し、この白色光がレンズ９６ａにより集光されてカラーフィルタホイール９５のカラーフィルタ９５ａを透過し、レンズ９６ｂを透過する。これにより、白色光がＲＧＢいずれかの色に着色される。そして、この着色された光がＤＭＤ９７に入射し、ＤＭＤ９７により全反射されて、レンズ８４により拡光されて書込用ディスプレイ５上に載置された原稿（図示せず）を照明する。このとき、撮像装置７のモノクロＣＣＤ（撮像素子７ｂ）が画像を取り込む。そして、カラーフィルタホイール９５を回転させることにより、各色のカラーフィルタ９５ａが順次光路に介在し、白色光源９４から出射した光が順次各色に着色される。これに同期して、モノクロＣＣＤが順次各色の画像を取り込み、その後３色分の画像を合成することにより、フルカラーの画像を形成する。
【００８０】
また、画像の投射時には、白色光源９４が白色光を出射し、この白色光がレンズ９６ａ、カラーフィルタホイール９５、レンズ９６ｂを透過することにより、ＲＧＢいずれかの色に着色され、この着色された光がＤＭＤ９７に入射する。そして、この光がＤＭＤ９７において反射されることにより各色の画像が付加され、レンズ８４により拡光されて書込用ディスプレイ５に対して投射される。そして、カラーフィルタホイール９５を回転させることにより、各色のカラーフィルタ９５ａが順次光路に介在し、白色光源９４から出射した光が順次各色に着色され、これに同期してＤＭＤ９７が各色の画像を形成することにより、ＲＧＢ３色の画像が混色される。この結果、ユーザにフルカラーの画像を認識させることができる。
【００８１】
本変形例においては、画像形成装置としてＤＭＤを使用することにより、前述の３板式の小型投射装置と比較して、装置を小型化することが可能である。また、前述の単板式の小型投射装置よりも高精細な画像を投射することができる。なお、原稿の撮像時には、冷陰極管により原稿を照明し、カラーＣＣＤにより撮像してもよい。
【００８２】
上述の第１の実施形態の第６乃至第１４の変形例について、各変形例の長所及び短所をまとめると以下のようになる。画像形成装置として、前述の第６乃至第９の変形例に示すように透過型液晶ライトバルブを使用する場合は、前述の第１０乃至台１３の変形例に示すように反射型液晶ライトバルブを使用する場合と比較して、ＰＢＳ（偏光ビームスプリッタ）が不要となるため、光学系の低コスト化及び小型化を図ることができる。一方、画像形成装置として反射型液晶ライトバルブを使用する場合は、透過型液晶ライトバルブを使用する場合と比較して、開口率が高く、表示が明るい。
【００８３】
また、前述の第６、第７、第１０、第１１の変形例に示すように３枚のパネルを使用する３板式は、第８、第９、第１２、第１３の変形例に示すように１枚のパネルを使用する単板式と比較して、画像の明るさを十分確保でき、高精細な表示が可能となる。一方、単板式は３板式と比較して、小型投射装置の光学系が簡略化されるため、低コスト化及び小型化を図ることができる。但し、単板式においては、カラーフィルタ方式はカラーフィルタによる光の吸収があり、カラーシーケンシャル方式は、光源を時分割点灯させるため、全点灯する３板式と比較すると、画像が暗くなる。更に、前述の第１４の変形例に示すように画像形成装置としてＤＭＤ（デジタル・マイクロミラー・デバイス）を使用する場合は、３板式と比較して小型投射装置を小型化することができる。
【００８４】
次に、本発明の第２の実施形態について説明する。図２３（ａ）は本実施形態に係る撮像装置付投射表示装置が原稿を撮像する動作を示す図であり、（ｂ）は撮像した画像を投射すると共にこの画像に対して書込を行う動作を示す図である。図１（ａ）に示すように、前述の第１の実施形態においては、撮像装置７と小型投射装置２６とが別々に設けられている例を示したが、図２３（ａ）に示すように、本第２の実施形態においては、撮像装置及び小型投射装置の替わりに、両装置の機能を兼ね備えた内部投射装置としての撮像投射装置６５が設けられている。撮像投射装置６５においては、書込用ディスプレイ５に対向する位置にレンズ６５ａが設けられており、レンズ６５ａの下方にはビームスプリッタ６５ｂが設けられており、ビームスプリッタ６５ｂの下方には撮像素子６５ｃが設けられている。これにより、原稿２１からレンズ６５ａを介してビームスプリッタ６５ｂに入射した光は、ビームスプリッタ６５ｂを透過して撮像素子６５ｃに入射するようになっている。また、ビームスプリッタ６５ｂの側方には液晶ライトバルブ６５ｄが設けられており、ビームスプリッタ６５ｂと共に液晶ライトバルブ６５ｄを挟む位置に光源６５ｅが設けられている。これにより、光源６５ｅから出射した光は、液晶ライトバルブ６５ｄを透過してビームスプリッタ６５ｂに入射し、ビームスプリッタ６５ｂにより反射され、レンズ６５ａを介して液晶パネル２７に投射されるようになっている。本実施形態における上記以外の構成は前述の第１の実施形態と同様である。
【００８５】
次に、上述の如く構成された本実施形態の動作、即ち本実施形態に係る投射表示方法について説明する。図２３（ａ）に示すように、原稿の撮像時には、液晶パネル２７は透過モードになり、冷陰極管８が原稿２１を照明する。そして、原稿２１により反射された光は、入力タブレット２８及び液晶パネル２７を透過して撮像投射装置６５のレンズ６５ａに入射し、レンズ６５ａを通過した後、ビープスプリッタ６５ｂを透過して撮像素子６５ｃに入射される。これにより、撮像素子６５ｃが原稿２１を撮像する。
【００８６】
また、図２３（ｂ）に示すように、撮像した画像の投射及び書込時には、液晶ライトバルブ６５ｄが撮像した画像を形成する。また、液晶パネル２７は散乱モードになっている。この状態で光源６５ｅが光を出射し、この光が液晶ライトバルブ６５ｄを透過して画像が付加された後、ビームスプリッタ６５ｂにより反射され、レンズ６５ａを介して液晶パネル２７に投射される。本実施形態における上記以外の動作は前述の第１の実施形態と同様である。
【００８７】
本実施形態においては、前述の第１の実施形態と比較して、撮像装置及び小型投射装置を１つの撮像投射装置６５にまとめているため、撮像時及び投射時においてレンズを兼用することができ、表示装置の小型化及び低コスト化を図ることができる。本実施形態における上記以外の効果は前述の第１の実施形態と同様である。
【００８８】
なお、本実施形態においても、前述の第１の実施形態の第１乃至第４の変形例と同様に、書込用の入力装置として各種の入力装置を使用することができる。
【００８９】
次に、本発明の第３の実施形態について説明する。図２４は本実施形態に係る撮像装置付投射表示装置における投射装置を示す光学モデル図である。図１（ｂ）に示すように、前述の第１の実施形態においては、撮像した画像をスクリーンに投射する投射装置２０の他に、同じ画像を液晶パネル２７に投射する小型投射装置２６が設けられている。これに対して、本第３の実施形態においては、図２４に示すように、投射装置２０の光学系ユニット１３と投射レンズユニット１４との間にビームスプリッタ６６が設けられており、外部のスクリーンに投射する光の一部が液晶パネル２７（図１（ｂ）参照）に投射されている。即ち、光学系ユニット１３のプリズム１９から出射された光の一部がこのビームスプリッタ６６により反射されて液晶パネル２７に投射され、光の残部がビームスプリッタ６６を透過して投射レンズユニット１４に入射し、スクリーンに投射されるようになっている。なお、ビームスプリッタ６６には比較的反射率が低いものを使用し、ビームスプリッタ６６に入射された光の大部分が投射レンズユニット１４に入射され、ごく一部が液晶パネル２７に向かうようになっている。撮像装置７及びビームスプリッタ６６により内部投射装置が構成されている。本実施形態における上記以外の構成は前述の第１の実施形態と同様である。
【００９０】
次に、上述の如く構成された本実施形態の動作、即ち本実施形態に係る投射表示方法について説明する。図２４に示すように、撮像した画像の投射及び書込時には、ランプユニット１２から出射した光が光学系ユニット１３を経由してプリズム１９からビームスプリッタ６６に対して出射される。そして、この光の一部がビームスプリッタ６６により反射され、散乱モードとなっている液晶パネル２７（図１（ｂ）参照）に投射されて液晶パネル２７に画像を表示する。また、ビームスプリッタ６６に入射した光の残部がビームスプリッタ６６を透過し、投射レンズユニット１４に入射する。そして、この光が投射レンズユニット１４により外部のスクリーンに投射され、このスクリーンに画像が表示される。本実施形態における上記以外の動作は前述の第１の実施形態と同様である。
【００９１】
本実施形態においては、前述の第１の実施形態と比較して、小型投射装置を省略することができるため、表示装置の小型化及び低コスト化を図ることができる。本実施形態における上記以外の効果は前述の第１の実施形態と同様である。
【００９２】
なお、本実施形態においても、前述の第１の実施形態の第１乃至第４の変形例と同様に、書込用の入力装置として各種の入力装置を使用することができる。
【００９３】
次に、本発明の第４の実施形態について説明する。図２５（ａ）は本実施形態に係る撮像装置付投射表示装置が原稿を撮像する動作を示す図であり、（ｂ）は撮像した画像を投射すると共にこの画像に対して書込を行う動作を示す図であり、図２６はこの表示装置の撮像面カバーを示す断面図である。図１（ａ）及び（ｂ）に示すように、前述の第１の実施形態においては、フレーム４の開口部４ａに書込用ディスプレイ５が嵌め込まれており、この書込用ディスプレイ５に液晶パネル２７及び入力タブレット２８が設けられている。また、フレーム４には撮像面カバー９が回動可能に取り付けられている。
【００９４】
これに対して、本実施形態においては、図２５（ａ）に示すように、フレームの開口部にはガラス板等の透明板６７が嵌め込まれており、フレームには撮像面カバー６８が取り付けられている。撮像面カバー６８はその一端がフレームの一端に回動可能に連結されており、透明板６７に対して開閉可能な扉として機能し、透明板６７を露出させるか覆うかを切り替えることができる。
【００９５】
また、図２６に示すように、撮像面カバー６８においては、スクリーン６９上に反射防止膜７０が積層されており、その上に入力タブレット７１が積層されている。そして、撮像面カバー６８が閉じているときには、スクリーン６９が下側、即ち透明板６７側に位置し、入力タブレット７１が上側に位置するようになっている。スクリーン６９は裏側、即ち透明板６７に対向する面側から入射した光を散乱することにより投射された画像を表示するスクリーンであり、例えば、リアプロジェクタ用のスクリーンであり、例えば、日東樹脂工業製ＢｌｕｅＯｃｅａｎ（商品名）である。スクリーン６９においては、カーボンブラックからなる母材７２中に、パーティクル７３が分散されており、裏面から入射した光７４が散乱して表面から出射するようになっている。また、入力タブレット７１は例えば、前述の第１の実施形態における入力タブレット２８と同じ抵抗膜方式の入力タブレットであり、例えば入力ペン７５により情報を入力するものである。本実施形態における上記以外の構成は前述の第１の実施形態と同様である。
【００９６】
次に、上述の如く構成された本実施形態の動作、即ち本実施形態に係る投射表示方法について説明する。図２５（ａ）に示すように、原稿の撮像時には、透明板６７上に原稿２１を載置し、原稿２１が薄い場合には撮像面カバー６８を閉じ、透明板６７と撮像面カバー６８とにより原稿２１を挟み込み、原稿２１を支持する。この状態で、冷陰極管８が原稿２１を照明する。そして、原稿２１により反射された光は、透明板６７を透過して撮像装置７に入射する。これにより、原稿２１が撮像される。
【００９７】
また、図２５（ｂ）に示すように、撮像した画像の投射及び書込時には、透明板６７上から原稿２１を除き、撮像面カバー６８を閉じる。また、小型投射装置２６の液晶ライトバルブ２６ｂに撮像した画像を形成させる。この状態で小型投射装置２６の光源２６ｃが光を出射し、この光が液晶ライトバルブ２６ｂを透過して画像が付加され、その後、この光がレンズ２６ａにより拡光され、透明板６７を介してスクリーン６９に投射される。これにより、スクリーン６９に書込用画像が表示される。そして、ユーザはこのスクリーン６９に表示された書込用画像を見ながら、この画像に上書きするように、入力タブレット７１に書込情報を入力する。入力タブレット７１に入力された情報は、撮像された画像に重ねられて、小型投影装置２６によりスクリーン６９に投射されると共に、投射装置２０により外部のスクリーンに投射される。本実施形態における上記以外の動作は前述の第１の実施形態と同様である。
【００９８】
本実施形態においては、前述の第１の実施形態と比較して、液晶パネル２７（図１参照）を省略することができるため、表示装置の低コスト化を図ることができる。本実施形態における上記以外の効果は前述の第１の実施形態と同様である。
【００９９】
なお、本実施形態においても、前述の第１の実施形態の第１乃至第４の変形例と同様に、書込用の入力装置として各種の入力装置を使用することができる。また、本実施形態において、下部ユニットとして第２又は第３の実施形態における下部ユニットを使用してもよい。
【０１００】
また、前述の各実施形態においては、原稿を撮像する装置として平面的な画像を一時に撮像する撮像装置７を使用したが、本発明はこれに限定されず、例えば、読込線を一方向に走査させて平面的な画像を撮像するスキャナを使用してもよい。
【０１０１】
更に、前述の各実施形態においては、外部への投射装置として透過型液晶ライトバルブを備えた投射装置を使用したが、本発明はこれに限定されず、例えば、反射型液晶ライトバルブを備えた投射装置を使用してもよく、ＤＭＤを備えた投射装置を使用してもよい。
【０１０２】
更にまた、前述の各実施形態においては、撮像装置を備えた撮像装置付投射表示装置について説明したが、撮像装置を省略し、外部から電子情報として画像を入力するようにしてもよい。これにより、事前に電子情報を作成することが必要となるものの、撮像装置を省略することができるため、表示装置の小型化及び低コスト化を図ることができる。なお、この場合も、投影された画像に対する書込等の編集作業は、表示装置においてリアルタイムに行うことができる。
【産業上の利用可能性】
【０１０３】
本発明は、原稿に対する書込情報の付加、並びに撮像した原稿及び書込情報の表示を行う表示装置及び表示方法に適用することができる。
【図面の簡単な説明】
【０１０４】
【図１】（ａ）は本発明の第１の実施形態に係る撮像装置付投射表示装置を示す斜視図であり、（ｂ）はこの撮像装置付投射表示装置の上部ユニットを示す断面図である。
【図２】（ａ）はこの撮像装置付投射表示装置の書込用ディスプレイを示す断面図であり、（ｂ）はその液晶パネルを示す断面図である。
【図３】（ａ）及び（ｂ）はこの書込用ディスプレイの液晶パネルの作製方法をその工程順に示す斜視図である。
【図４】（ａ）及び（ｂ）はこの書込用ディスプレイの液晶パネルの動作を示す断面図である。
【図５】この書込用ディスプレイのタッチパネルを示す断面図である。
【図６】この撮像装置付投射表示装置の外部投射装置を示す光学モデル図である。
【図７】本実施形態に係る撮像装置付投射表示装置における画像情報の流れを示すブロック図である。
【図８】（ａ）はこの撮像装置付投射表示装置における原稿を撮像する動作を示す図であり、（ｂ）は撮像した画像を投射すると共にこの画像に対して書込を行う動作を示す図である。
【図９】第１の実施形態の第１の変形例に係る表示装置の上部ユニットを示す斜視図である。
【図１０】第１の実施形態の第２の変形例に係る表示装置の上部ユニットを示す図である。
【図１１】第１の実施形態の第３の変形例に係る表示装置の上部ユニットを示す斜視図である。
【図１２】第１の実施形態の第４の変形例に係る表示装置の上部ユニットを示す断面図である。
【図１３】第１の実施形態の第５の変形例に係る撮像装置付投射表示装置を示す図である。
【図１４】本第１の実施形態の第６の変形例に係る撮像装置付投射表示装置を示す図である。
【図１５】本第１の実施形態の第７の変形例に係る撮像装置付投射表示装置を示す図である。
【図１６】本第１の実施形態の第８の変形例に係る撮像装置付投射表示装置を示す図である。
【図１７】本第１の実施形態の第９の変形例に係る撮像装置付投射表示装置を示す図である。
【図１８】本第１の実施形態の第１０の変形例に係る撮像装置付投射表示装置を示す図である。
【図１９】本第１の実施形態の第１１の変形例に係る撮像装置付投射表示装置を示す図である。
【図２０】本第１の実施形態の第１２の変形例に係る撮像装置付投射表示装置を示す図である。
【図２１】本第１の実施形態の第１３の変形例に係る撮像装置付投射表示装置を示す図である。
【図２２】本第１の実施形態の第１４の変形例に係る撮像装置付投射表示装置を示す図である。
【図２３】（ａ）は本発明の第２の実施形態に係る撮像装置付投射表示装置が原稿を撮像する動作を示す図であり、（ｂ）は撮像した画像を投射すると共にこの画像に対して書込を行う動作を示す図である。
【図２４】本発明の第３の実施形態に係る撮像装置付投射表示装置の投射装置を示す光学モデル図である。
【図２５】（ａ）は本発明の第４の実施形態に係る撮像装置付投射表示装置が原稿を撮像する動作を示す図であり、（ｂ）は撮像した画像を投射すると共にこの画像に対して書込を行う動作を示す図である。
【図２６】この表示装置の撮像面カバーを示す断面図である。
【図２７】特許文献１及び非特許文献１に記載されている従来の撮像装置付投射表示装置を示す斜視図である。
【図２８】この撮像装置付投射表示装置の下部ユニットを示す斜視図である。
【図２９】この撮像装置付投射表示装置の動作を示す図である。
【図３０】この撮像装置付投射表示装置における画像情報の流れを示すブロック図である。
【符号の説明】
【０１０５】
１；撮像装置付投射表示装置
２；上部ユニット
３；下部ユニット
４；フレーム
４ａ；開口部
５；書込用ディスプレイ
６ａ；側板
６ｂ；底板
７；撮像装置
７ａ；レンズ
７ｂ；撮像素子
８；冷陰極管
９；撮像面カバー
１０；筐体
１１；電源ユニット
１２；ランプユニット
１３；光学系ユニット
１４；投射レンズユニット
１５；駆動回路
１６Ｒ、１６Ｇ；ダイクロイックミラー
１７ａ、１７ｂ、１７ｃ；ミラー
１８ａ、１８ｂ、１８ｃ；液晶ライトバルブ
１９；プリズム
２０；投射装置
２６；小型投射装置
２６ａ；レンズ
２６ｂ；液晶ライトバルブ
２６ｃ；光源
２７；液晶パネル
２８；入力タブレット
２９；ガラス板
３０；透明電極
３１；シール剤
３２；高分子分散型液晶
３３；高分子樹脂
３４；液晶ドロップレット
３５；光
３６；ガラス基板
３７；透明電極
３８；スペーサ
３９；透明フィルム
４０；透明電極
４１；ペン
５２；発光素子
５３；受光素子
５４；赤外線
５５；ペン
５６；赤外線
５７；入力ペン
５８；入力ペン
５９；ディテクタ
６０；入力ペン
６１；コイル
６２；磁界
６３；タブレット
６４；磁界
６５；撮像投射装置
６５ａ；レンズ
６５ｂ；ビームスプリッタ
６５ｃ；撮像素子
６５ｄ；液晶ライトバルブ
６５ｅ；光源
６６；ビームスプリッタ
６７；透明板
６８；撮像面カバー
６９；スクリーン
７０；反射防止膜
７１；入力タブレット
７２；母材
７３；パーティクル
７４；光
７５；入力ペン
８１Ｒ、８１Ｇ、８１Ｂ；面光源
８２Ｒ、８２Ｇ、８２Ｂ；モノクロの透過型液晶ライトバルブ
８３；プリズム
８４；レンズ
８５；白色光源
８６Ｒ、８６Ｇ、８６Ｂ；ダイクロイックミラー
８７ａ、８７ｂ、８７ｃ、８７ｄ、８７ｅ；ミラー
８８；ＬＥＤ
８９；モノクロの透過型液晶ライトバルブ
９０Ｒ、９０Ｇ、９０Ｂ；ＰＢＳ
９１Ｒ、９１Ｇ、９１Ｂ；反射型液晶ライトバルブ
９２；ＰＢＳ
９３；反射型液晶ライトバルブ
９４；白色光源
９５；カラーフィルタホイ−ル
９５ａ；カラーフィルタ
９６ａ、９６ｂ；レンズ
９７；ＤＭＤ
１０１；撮像装置付投射表示装置
１０２；上部ユニット
１０３；下部ユニット
１０５；ガラス板
【図１】
2005215214.tif 000004
【図２】
2005215214.tif 000005
【図３】
2005215214.tif 000006
【図４】
2005215214.tif 000007
【図５】
2005215214.tif 000008
【図６】
2005215214.tif 000009
【図７】
2005215214.tif 000010
【図８】
2005215214.tif 000011
【図９】
2005215214.tif 000012
【図１０】
2005215214.tif 000013
【図１１】
2005215214.tif 000014
【図１２】
2005215214.tif 000015
【図１３】
2005215214.tif 000016
【図１４】
2005215214.tif 000017
【図１５】
2005215214.tif 000018
【図１６】
2005215214.tif 000019
【図１７】
2005215214.tif 000020
【図１８】
2005215214.tif 000021
【図１９】
2005215214.tif 000022
【図２０】
2005215214.tif 000023
【図２１】
2005215214.tif 000024
【図２２】
2005215214.tif 000025
【図２３】
2005215214.tif 000026
【図２４】
2005215214.tif 000027
【図２５】
2005215214.tif 000028
【図２６】
2005215214.tif 000029
【図２７】
2005215214.tif 000030
【図２８】
2005215214.tif 000031
【図２９】
2005215214.tif 000032
【図３０】
2005215214.tif 000033